(57)【要約】【課題】現像剤搬送室が上下に配置された現像装置の下方の搬送室から上方の搬送室へ現像剤を簡易な構成で円滑に汲み上げ可能な現像装置およびそれを備えた画像形成装置を提供する。【解決手段】現像装置は、第１搬送室と、第１搬送室の上方に配置される第２搬送室と、を有する現像容器と、第１搬送室内の現像剤を第１方向に攪拌搬送する第１攪拌搬送部材と、第２搬送室内の現像剤を第１方向と逆方向である第２方向に攪拌搬送する第２攪拌搬送部材と、現像剤担持体と、を備える。現像容器は、第１搬送室および第２搬送室の第１方向の下流側端部同士を連通する第１連通部と、第１搬送室および第２搬送室の第２方向の下流側端部同士を連通する第２連通部と、を有する。第１攪拌搬送部材は、回転軸と、回転軸の軸方向に一定のピッチで螺旋状に形成される第１螺旋羽根とを有する。第１攪拌搬送部材の第１連通部と対向する部分には、回転軸の外径が他の部分に比べて大きい大径部が形成される。【選択図】図３
2019191241.tif 000002
【特許請求の範囲】
【請求項１】
第１搬送室と、仕切り部を挟んで前記第１搬送室の上方に配置される第２搬送室と、を有し、キャリアとトナーとを含む二成分現像剤を収容する現像容器と、
前記第１搬送室内に回転可能に支持され、前記第１搬送室内の現像剤を第１方向に攪拌搬送する第１攪拌搬送部材と、
前記第２搬送室内に前記第１攪拌搬送部材と平行であって回転可能に支持され、前記第２搬送室内の現像剤を前記第１方向と逆方向である第２方向に攪拌搬送する第２攪拌搬送部材と、
前記現像容器に回転可能に支持され、前記第２搬送室内の現像剤を表面に担持する現像剤担持体と、
を備えた現像装置において、
前記現像容器は、前記第１搬送室および前記第２搬送室の前記第１方向の下流側端部同士を連通する第１連通部と、前記第１搬送室および前記第２搬送室の前記第２方向の下流側端部同士を連通する第２連通部と、を有し、
前記第１攪拌搬送部材は、回転軸と、前記回転軸に一体に設けられ、前記回転軸の軸方向に一定のピッチで螺旋状に形成される第１螺旋羽根とを有し、前記第１攪拌搬送部材の前記第１連通部と対向する部分には、前記回転軸の外径が他の部分に比べて大きい大径部が形成されることを特徴とする現像装置。
【請求項２】
前記大径部は、外径が軸方向全域に亘って一定である円柱状であることを特徴とする請求項１に記載の現像装置。
【請求項３】
前記大径部は、前記第１搬送室内の現像剤搬送方向に対し前記回転軸の下流側端縁から前記第１螺旋羽根の１ピッチ分の範囲までに形成されることを特徴とする請求項２に記載の現像装置。
【請求項４】
前記第１螺旋羽根の外径をＲ１、前記回転軸の外径をＲ２、前記大径部の外径をＲ３とするとき、以下の式（１）
Ｒ３≦（Ｒ１＋Ｒ２）／２  ・・・（１）
を満たすことを特徴とする請求項２又は請求項３に記載の現像装置。
【請求項５】
前記大径部は、前記第１搬送室内の現像剤搬送方向に対し下流側に向かって外径が大きくなる円錐状であることを特徴とする請求項１に記載の現像装置。
【請求項６】
前記大径部は、前記回転軸方向における前記第１連通部の開口幅の範囲内に形成されることを特徴とする請求項５に記載の現像装置。
【請求項７】
前記大径部の最大径は、前記第１螺旋羽根の外径と同一径であることを特徴とする請求項５又は請求項６に記載の現像装置。
【請求項８】
請求項１乃至請求項７のいずれかに記載の現像装置を備えた画像形成装置。
【発明の詳細な説明】
【技術分野】
【０００１】
本発明は、現像装置およびそれを備えた画像形成装置に関し、特に、現像剤を攪拌搬送する攪拌搬送部材が内部に配置される第１搬送室と、第１搬送室の上方に配置される第２搬送室と、を有する現像装置およびそれを備えた画像形成装置に関するものである。
【背景技術】
【０００２】
画像形成装置においては、感光体等からなる像担持体上に形成した潜像を現像装置により現像し、トナー像として可視化することを行っている。このような現像装置として、現像剤を収容する現像容器と、現像剤を攪拌搬送する第１攪拌搬送部材および第２攪拌搬送部材と、第２攪拌搬送部材から供給される現像剤を担持する現像ローラー（現像剤担持体）と、を備える現像装置が知られている。第１攪拌搬送部材は、現像剤を現像ローラーの軸方向の一方側に搬送し、第２攪拌搬送部材は、現像剤を他方側（一方側とは反対側）に搬送しながら現像ローラーに供給する。
【０００３】
ところで、近年、画像形成装置の小型化の要求が高まっており、特にカラー機においては現像装置を複数配置するので、現像装置の小型化が要求されている。そこで、第１攪拌搬送部材が内部に配置される第１搬送室と、第１搬送室の上方に配置されるとともに第２攪拌搬送部材が内部に配置される第２搬送室と、を備えた現像装置が知られている。この現像装置では、第１搬送室と第２搬送室とを上下に配置することによって、現像装置を水平方向に小型化することが可能である。このため、現像装置の配置スペースを削減することが可能であるので、画像形成装置を小型化することが可能である。
【０００４】
例えば特許文献１には、各々の搬送方向が相反するように上下に平行に配置された２本のオーガー（スクリュー）を備えた現像装置が開示されている。この現像装置では、２本のオーガーによって現像剤が攪拌用現像剤溜りと供給用現像剤溜りの間を循環搬送されるとともに、供給用現像剤溜りに配置されたオーガーに隣接する現像剤担持体へ現像剤が供給される。
【０００５】
特許文献１のように第１搬送室と第２搬送室とを上下に配置した現像装置では、下方のスクリューから上方のスクリューへの現像剤の汲み上げが重力に逆らう向きとなるため、現像剤の循環が円滑に行われず、汲み上げ部に現像剤が滞留しやすい。そのため、スクリューの回転負荷が増加して駆動トルクが増大したり、現像剤に機械的ストレスが加わることにより凝着等の劣化を起こしたりするという問題点があった。
【０００６】
そこで、汲み上げ部における現像剤の滞留を抑制する方法が提案されており、特許文献２には、現像用マグネットローラーと同軸的に配置され、現像用マグネットローラーの駆動に伴って駆動する搬送用マグネットローラーを持ち上げ部に配置することで現像剤の搬送性を確保するようにした現像装置が開示されている。また、特許文献３には、重力方向で上下に隣接して設けられ、内部に現像剤攪拌搬送部材が配置されている第１、第２の搬送空間と、第１、第２の搬送空間を仕切る仕切り部に設けられて現像剤の受渡し部となる連通部とを備え、連通部の内部に、現像剤攪拌搬送部材とは別に現像剤を上昇搬送させる移送用搬送部材を設けた現像装置が開示されている。
【先行技術文献】
【特許文献】
【０００７】
【特許文献１】特開平５−３３３６９１号公報
【特許文献２】特開平１１−２４３８２号公報
【特許文献３】特開２０１１−５９６０５号公報
【発明の概要】
【発明が解決しようとする課題】
【０００８】
しかしながら、特許文献２、３の方法では、搬送用マグネットローラーや移送用搬送部材を設ける必要があるため現像装置のコストアップに繋がる。また、搬送用マグネットローラーや移送用搬送部材の配置スペースを確保するために現像装置を長手方向に延長する必要があり、現像装置および現像装置を搭載する画像形成装置の大型化に繋がる。
【０００９】
本発明は、上記問題点に鑑み、現像剤搬送室が上下に配置された現像装置の下方の搬送室から上方の搬送室へ現像剤を簡易な構成で円滑に汲み上げ可能な現像装置およびそれを備えた画像形成装置を提供することを目的としている。
【課題を解決するための手段】
【００１０】
上記目的を達成するために本発明の第１の構成は、現像容器と、第１攪拌搬送部材と、第２攪拌搬送部材と、現像剤担持体と、を備えた現像装置である。現像容器は、第１搬送室と、仕切り部を挟んで第１搬送室の上方に配置される第２搬送室と、を有し、キャリアとトナーとを含む二成分現像剤を収容する。第１攪拌搬送部材は、第１搬送室内に回転可能に支持され、第１搬送室内の現像剤を第１方向に攪拌搬送する。第２攪拌搬送部材は、第２搬送室内に第１攪拌搬送部材と平行であって回転可能に支持され、第２搬送室内の現像剤を第１方向と逆方向である第２方向に攪拌搬送する。現像剤担持体は、現像容器に回転可能に支持され、第２搬送室内の現像剤を表面に担持する。現像容器は、第１搬送室および第２搬送室の第１方向の下流側端部同士を連通する第１連通部と、第１搬送室および第２搬送室の第２方向の下流側端部同士を連通する第２連通部と、を有する。第１攪拌搬送部材は、回転軸と、回転軸に一体に設けられ、回転軸の軸方向に一定のピッチで螺旋状に形成される第１螺旋羽根とを有する。第１攪拌搬送部材の第１連通部と対向する部分には、回転軸の外径が他の部分に比べて大きい大径部が形成される。
【発明の効果】
【００１１】
本発明の第１の構成によれば、第１攪拌搬送部材に形成された大径部によって、第１連通部と対向する部分の第１螺旋羽根の突出量が小さくなるため、第１攪拌搬送部材により第１連通部と対向する部分に搬送される現像剤が滞留し易くなる。また、大径部周辺の容積が小さくなるため、第１連通部と対向する部分に搬送された現像剤が上方向に向かい易くなる。従って、第１搬送室から第２搬送室へ現像剤を円滑に汲み上げることができ、第２搬送室内の現像剤量が安定するため、現像剤担持体への現像剤の供給ムラが発生せず、長期間に安定した画像を維持することができる。また、第１搬送室の現像剤搬送方向下流側の端部における現像剤の圧縮作用も低減されるため、現像剤の凝集やそれに伴う第１攪拌搬送部材の駆動トルクの上昇を抑制することができる。
【図面の簡単な説明】
【００１２】
【図１】本発明の現像装置３ａ〜３ｄを備えたカラープリンター１００の全体構成を示す概略断面図
【図２】本発明の第１実施形態に係る現像装置３ａの攪拌部の構造を示す縦断面図
【図３】第１実施形態の現像装置３ａの第１連通部２２ｅ周辺の構造を示す側面断面図
【図４】第１実施形態の現像装置３ａの第１連通部２２ｅ周辺を軸方向に沿って切断した縦断面図
【図５】本発明の第２実施形態に係る現像装置３ａの攪拌部の構造を示す縦断面図
【図６】第２実施形態の現像装置３ａの第１連通部２２ｅ周辺を軸方向に沿って切断した縦断面図
【図７】本発明の現像装置３ａの変形例であって、第１搬送室２２ｃの斜め上方にずれた位置に第２搬送室２２ｄが配置された現像装置３ａの第１連通部２２ｅ周辺を軸方向に沿って切断した縦断面図
【発明を実施するための形態】
【００１３】
以下、図面を参照しながら本発明の実施形態について説明する。図１は、本発明の現像装置３ａ〜３ｄを備えたカラープリンター１００の概略断面図であり、ここではタンデム方式のカラープリンターについて示している。カラープリンター１００本体内には４つの画像形成部Ｐａ、Ｐｂ、Ｐｃ及びＰｄが、搬送方向上流側（図１では右側）からＰｄ〜Ｐａの順に配設されている。これらの画像形成部Ｐａ〜Ｐｄは、異なる４色（ブラック、イエロー、マゼンタ及びシアン）の画像に対応して設けられており、それぞれ帯電、露光、現像及び転写の各工程によりシアン、マゼンタ、イエロー及びブラックの画像を順次形成する。
【００１４】
これらの画像形成部Ｐａ〜Ｐｄには、各色の可視像（トナー像）を担持する感光体ドラム１ａ、１ｂ、１ｃおよび１ｄがそれぞれ配設されており、さらに図１において時計回り方向に回転する中間転写ベルト８が各画像形成部Ｐａ〜Ｐｄに隣接して設けられている。
【００１５】
パソコン等の上位装置から画像データが入力されると、先ず、帯電器２ａ〜２ｄによって感光体ドラム１ａ〜１ｄの表面を一様に帯電させる。次いで露光装置５によって感光体ドラム１ａ〜１ｄの表面を画像データに応じて光照射し、各感光体ドラム１ａ〜１ｄ上に画像データに応じた静電潜像を形成する。現像装置３ａ〜３ｄには、トナーコンテナ４ａ〜４ｄから補給されるブラック、イエロー、マゼンタ及びシアンの各色のトナーと、磁性キャリアとを含む二成分現像剤（以下、単に現像剤ともいう）が所定量充填されている。現像装置３ａ〜３ｄによって感光体ドラム１ａ〜１ｄ上に現像剤中のトナーが供給され、静電的に付着する。これにより、露光装置５からの露光により形成された静電潜像に応じたトナー像が形成される。
【００１６】
そして、一次転写ローラー６ａ〜６ｄにより一次転写ローラー６ａ〜６ｄと感光体ドラム１ａ〜１ｄとの間に所定の転写電圧で電界が付与され、感光体ドラム１ａ〜１ｄ上のブラック、イエロー、マゼンタ及びシアンのトナー像が中間転写ベルト８上に一次転写される。一次転写後に感光体ドラム１ａ〜１ｄの表面に残留したトナー等はクリーニング装置７ａ〜７ｄにより除去される。
【００１７】
トナー像が転写される転写紙Ｐは、カラープリンター１００内の下部に配置された用紙カセット１６内に収容されている。転写紙Ｐは、給紙ローラー１２ａおよびレジストローラー対１２ｂを介して所定のタイミングで中間転写ベルト８に隣接して設けられた二次転写ローラー９と中間転写ベルト８のニップ部（二次転写ニップ部）へ搬送される。トナー像が二次転写された転写紙Ｐは定着部１３へと搬送される。
【００１８】
定着部１３に搬送された転写紙Ｐは、定着ベルトと加圧ローラーとのニップ部を通過することにより加熱及び加圧されてトナー像が転写紙Ｐの表面に定着され、所定のフルカラー画像が形成される。フルカラー画像が形成された転写紙Ｐは、そのまま（或いは分岐部１４によって反転搬送路１８に振り分けられ、両面に画像が形成された後）排出ローラー対１５によって排出トレイ１７に排出される。
【００１９】
図２は、カラープリンター１００に搭載される本発明の第１実施形態に係る現像装置３ａの攪拌部の構造を示す縦断面図である。なお、ここでは図１の画像形成部Ｐａに配置される現像装置３ａについて説明するが、画像形成部Ｐｂ〜Ｐｄに配置される現像装置３ｂ〜３ｄの構成についても基本的に同様であるため説明を省略する。
【００２０】
図２に示すように、現像装置３ａは、現像ローラー（現像剤担持体）２０と、攪拌搬送部材４２と、現像容器２２とを備えている。現像容器２２は、現像装置３ａの外郭を構成し、仕切り部２２ｂと、第１搬送室２２ｃと、第２搬送室２２ｄと、第１連通部２２ｅと、第２連通部２２ｆとが形成されている。第１搬送室２２ｃ及び第２搬送室２２ｄには、キャリアおよびトナーからなる二成分現像剤が収容される。また、現像容器２２は、攪拌搬送部材４２および現像ローラー２０を回転可能に保持している。更に、現像容器２２には、現像ローラー２０を感光体ドラム１ａに向けて露出させる開口２２ａ（図３参照）が形成されている。
【００２１】
仕切り部２２ｂは、現像容器２２の長手方向に延びて第１搬送室２２ｃと第２搬送室２２ｄを上下に並列させるように区画している。第１連通部２２ｅおよび第２連通部２２ｆは、仕切り部２２ｂの長手方向の一方側および他方側（Ａ１方向下流側およびＡ２方向下流側）にそれぞれ形成されている。第１連通部２２ｅは、第１搬送室２２ｃおよび第２搬送室２２ｄのＡ１方向（第１方向）の下流側端部同士を連通している。第２連通部２２ｆは、第１搬送室２２ｃおよび第２搬送室２２ｄのＡ２方向（第２方向）の下流側端部同士を連通している。なお、第２連通部２２ｆは、第２スパイラル４４に搬送された現像剤が滞留しない十分な大きさに形成されている。そして現像剤は、第１搬送室２２ｃ、第１連通部２２ｅ、第２搬送室２２ｄ、及び第２連通部２２ｆを循環する。
【００２２】
攪拌搬送部材４２は、第１スパイラル（第１攪拌搬送部材）４３と第２スパイラル（第２攪拌搬送部材）４４の２本で構成される。第１スパイラル４３は第１搬送室２２ｃ内に回転可能に支持される。第２スパイラル４４は第２搬送室２２ｄ内に回転可能に支持される。
【００２３】
第１搬送室２２ｃ内に配設される第１スパイラル４３は、回転軸４３ｂと、回転軸４３ｂに一体に設けられ、回転軸４３ｂの軸方向に一定のピッチで螺旋状に形成される第１螺旋羽根４３ａとを有する。回転軸４３ｂは現像容器２２に回転可能に軸支されている。第１螺旋羽根４３ａは、所定方向（図３の反時計回り方向）に回転することによって、第１搬送室２２ｃ内の現像剤を攪拌しながらＡ１方向（現像ローラー２０の軸方向の一方側）に搬送する。
【００２４】
また、第１搬送室２２ｃのＡ２方向の端面には、現像容器２２内にトナーを補給するトナー補給口２３が設けられている。トナー補給口２３には、トナーコンテナ４ａ（図１参照）に連接されたトナー補給経路２４が接続されている。回転軸４３ｂは、トナー補給口２３を通過し、トナー補給経路２４内にまで配置されている。回転軸４３ｂのトナー補給経路２４内に配置された部分には、回転軸４３ｂの軸方向に一定のピッチで螺旋状に形成される補給羽根４３ｃが一体で形成されている。補給羽根４３ｃは、第１螺旋羽根４３ａと同方向を向く（同位相の）螺旋状の羽根によって形成されているとともに、第１螺旋羽根４３ａと比べて小さいピッチおよび小さい直径に形成されている。
【００２５】
第２搬送室２２ｄ内に配設される第２スパイラル４４は、回転軸４４ｂと、回転軸４４ｂに一体に設けられ、第１螺旋羽根４３ａと逆方向を向く（逆位相の）羽根で螺旋状に形成される第２螺旋羽根４４ａとを有する。回転軸４４ｂは、回転軸４３ｂと平行に配置され、現像容器２２に回転可能に軸支されている。第２螺旋羽根４４ａは、第１螺旋羽根４３ａと同方向（図３の反時計回り方向）に回転することによって、第２搬送室２２ｄ内の現像剤をＡ２方向（Ａ１方向とは反対方向）に攪拌搬送しながら現像ローラー２０に現像剤を供給する。
【００２６】
第１スパイラル４３および第２スパイラル４４は現像剤を攪拌して現像剤中のトナーを所定のレベルに帯電させる。これによりトナーはキャリアに保持される。第１スパイラル４３および第２スパイラル４４が回転すると、現像剤が仕切り部２２ｂに設けた一方の連通部（第１連通部２２ｅ）から第２スパイラル４４に搬送され、他方の連通部（第２連通部２２ｆ）から第１スパイラル４３に搬送されて現像剤が第１搬送室２２ｃと第２搬送室２２ｄとを循環する。そして、第２スパイラル４４から現像ローラー２０に現像剤が供給され、現像ローラー２０上に磁気ブラシが形成される。
【００２７】
現像ローラー２０は、現像容器２２に回転可能に支持される現像スリーブ２０ａと、固定軸（図示せず）に固定され、複数の磁極を有する磁極部材２０ｂと、を備える。現像スリーブ２０ａの近傍には、現像スリーブ２０ａから所定の距離を隔てて配置され、現像スリーブ２０ａ表面の磁気ブラシを層厚規制する規制ブレード２１が設けられている。現像スリーブ２０ａは、図示しないモーターと歯車からなる駆動機構により、図３の矢印方向（反時計回り方向）に回転する。また、現像スリーブ２０ａには、直流電圧に交流電圧を重畳した現像バイアスが印加される。
【００２８】
この現像装置３ａでは、図２に示すように、第１搬送室２２ｃ内の現像剤は、第１スパイラル４３によりＡ１方向（第１連通部２２ｅ側）に攪拌搬送され、第１搬送室２２ｃの一方側に徐々に堆積していく。第１搬送室２２ｃの一方側では、現像剤は後続の現像剤に押され、第１連通部２２ｅを介して第２搬送室２２ｄに押し上げられる。第２搬送室２２ｄ内の現像剤は、第２スパイラル４４によりＡ２方向（第２連通部２２ｆ側）に攪拌搬送されながら現像ローラー２０に供給される。
【００２９】
現像バイアスが印加された現像スリーブ２０ａが図３の反時計回り方向に回転すると、現像バイアス電位と感光体ドラム１ａの露光部の電位との電位差により、現像スリーブ２０ａ表面の磁気ブラシに担持されたトナーが感光体ドラム１ａに移動する。トナーは時計回り方向に回転する感光体ドラム１ａ上の露光部位に順次付着し、感光体ドラム１ａ上の静電潜像が現像される。
【００３０】
現像に用いられなかった現像スリーブ２０ａ上の現像剤は、磁極部材２０ｂの同極部分において現像スリーブ２０ａから引き剥がされて第２搬送室２２ｄに回収される。そして、第２連通部２２ｆを介して第１搬送室２２ｃに落下する。
【００３１】
図３は、第１実施形態の現像装置３ａの第１連通部２２ｅ周辺の構成を示す側面断面図（図２のＸＸ′矢視断面図）である。図４は、第１実施形態の現像装置３ａの第１連通部２２ｅ周辺を軸方向に沿って切断した縦断面図である。なお、図３では現像装置３ａを図１の裏面側から見た状態を示しており、現像装置３ａ内の各部材の配置は図１と左右が逆になっている。
【００３２】
図３に示すように、第１連通部２２ｅは現像容器２２の幅方向（矢印Ｙ方向）において仕切り部２２ｂの略中央部に形成されている。第１スパイラル４３の第１連通部２２ｅと対向する部分には、回転軸４３ｂの外径が他の部分に比べて大きい大径部４５が形成されている。大径部４５は、外径が軸方向全域に亘って一定である円柱状であり、第１搬送室２２ｃ内の現像剤搬送方向（Ａ１方向）に対し回転軸４３ｂの下流側端縁（図４の左端縁）から第１連通部２２ｅの上流側端縁を超えて、さらに上流側（図４の右側）まで形成されている。
【００３３】
また、第１搬送室２２ｃ内の現像剤搬送方向（Ａ１方向）に対し回転軸４３ｂの下流側端縁の近傍には、第１螺旋羽根４３ａと逆方向を向く（逆位相の）逆螺旋羽根４６が１巻き（１ピッチ）形成されている。逆螺旋羽根４６は、回転軸４３ｂの軸受部４７への現像剤の進入を規制する。
【００３４】
本実施形態の現像装置３ａでは、第２搬送室２２ｄは第１搬送室２２ｃの上方に配置される。即ち、第１搬送室２２ｃおよび第２搬送室２２ｄは上下に配置される。これにより、現像装置３ａを水平方向に小型化することができる。カラープリンター１００では４つの現像装置３ａ〜３ｄを水平方向に配置するので、現像装置３ａ〜３ｄを小型化することはカラープリンター１００の小型化に特に有効である。
【００３５】
また本実施形態では、第１搬送室２２ｃから第２搬送室２２ｄへ現像剤が汲み上げられる第１連通部２２ｅに対向して、第１スパイラル４３の回転軸４３ｂに大径部４５が形成されている。これにより、第１連通部２２ｅと対向する部分の第１螺旋羽根４３ａの突出量が小さくなるため、第１スパイラル４３により搬送された現像剤が第１連通部２２ｅと対向する部分で滞留し易くなる。また、大径部４５周辺の第１搬送室２２ｃの容積が小さくなるため、第１連通部２２ｅと対向する部分に搬送された現像剤が上方向に向かい易くなる。その結果、第１搬送室２２ｃから第２搬送室２２ｄへ現像剤を円滑に汲み上げることができる。
【００３６】
従って、第２搬送室２２ｄ内の現像剤量が安定するため、現像ローラー２０への現像剤の供給ムラが発生せず、長期間に安定した画像を維持することができる。また、第１搬送室２２ｃの現像剤搬送方向（Ａ１方向）下流側の端部における現像剤の圧縮作用も低減されるため、現像剤の凝集やそれに伴う第１スパイラル４３の駆動トルクの上昇を抑制することができる。
【００３７】
さらに、第１スパイラル４３の回転軸４３ｂの形状を変更するだけで現像剤の汲み上げ性能を向上することができ、汲み上げ部材を別途設ける構成に比べてスペース的な制約もないため現像装置の小型化や低コスト化にも寄与する。
【００３８】
なお、大径部４５を回転軸方向に長く形成し過ぎると、第１搬送室２２ｃ内で現像剤が滞留する範囲が長くなって第１搬送室２２ｃ、第２搬送室２２ｄ内を現像剤が円滑に循環できなくなるおそれがある。そのため、大径部４５の形成範囲は第１螺旋羽根４３ａの１ピッチ分の範囲までとする。
【００３９】
また、大径部４５の外径を大きくし過ぎると、大径部４５での第１螺旋羽根４３ａの突出量が小さくなって現像剤の汲み上げ力が低下する。そのため、第１螺旋羽根４３ａの外径をＲ１、回転軸４３ｂの外径をＲ２とするとき、大径部４５の外径Ｒ３は以下の式（１）
Ｒ３≦（Ｒ１＋Ｒ２）／２  ・・・（１）
を満たすことが好ましい。例えば、第１螺旋羽部４３ａの外径が１６ｍｍ、回転軸４３ｂの外径が６ｍｍであるとき、大径部４５の外径を（１６＋６）／２＝１１ｍｍ以下とする。
【００４０】
図５は、本発明の第２実施形態に係る現像装置３ａの第１連通部２２ｅ周辺の構成を示す側面断面図である。図６は、第２実施形態の現像装置３ａにおける第１連通部２２ｅ周辺を軸方向に沿って切断した縦断面図である。本実施形態では、第１スパイラル４３の第１連通部２２ｅと対向する部分に、回転軸４３ｂの外径が第１搬送室２２ｃの現像剤搬送方向（Ａ１方向）に対し下流側（図５の左側）に向かって円錐状に大きくなるテーパー部５０が形成されている。現像装置３ａの他の部分の構成は第１実施形態と同様である。なお、本実施形態ではテーパー部５０によって軸受部４７への現像剤の進入が規制されるため、第１実施形態で設けた逆螺旋羽根４６は不要である。
【００４１】
本実施形態の構成によれば、第１搬送室２２ｃから第２搬送室２２ｄへ現像剤が汲み上げられる第１連通部２２ｅに対向して、第１スパイラル４３の回転軸４３ｂにテーパー部５０が形成されている。これにより、テーパー部５０周辺の第１搬送室２２ｃの容積が小さくなるとともに、テーパー部５０から現像剤に作用する抗力のベクトルが、テーパー部５０の外周面の傾斜によって現像剤を斜め上方（図６の右上方）に持ち上げる方向に作用するため、第１連通部２２ｅと対向する部分に搬送された現像剤が上方向に向かい易くなる。その結果、第１搬送室２２ｃから第２搬送室２２ｄへ現像剤を円滑に汲み上げることができる。
【００４２】
従って、第１実施形態と同様に、第２搬送室２２ｄ内の現像剤量が安定するため、現像ローラー２０への現像剤の供給ムラが発生せず、長期間に安定した画像を維持することができる。また、第１搬送室２２ｃの現像剤搬送方向（Ａ１方向）下流側の端部における現像剤の圧縮作用も低減されるため、現像剤の凝集やそれに伴う第１スパイラル４３の駆動トルクの上昇を抑制することができる。
【００４３】
なお、第１搬送室２２ｃの現像剤搬送方向（Ａ１方向）に対し第１連通部２２ｅよりも上流側までテーパー部５０を形成すると、第１搬送室２２ｃ内で現像剤が逆方向に押し戻されてしまい、第１搬送室２２ｃ、第２搬送室２２ｄ内を現像剤が円滑に循環できなくなるおそれがある。そのため、テーパー部５０の回転軸４３ｂ方向の形成範囲は第１連通部２２ｅの回転軸４３ｂ方向の開口幅の範囲内とする。また、テーパー部５０の現像剤搬送方向（Ａ１方向）下流側の端部における外径（最大径）が大きくなるほど現像剤を斜め上方に押し上げる力が大きくなるため、テーパー部５０の最大径を第１螺旋羽根４３ａと同一径とすることが好ましい。
【００４４】
その他本発明は、上記各実施形態に限定されず、本発明の趣旨を逸脱しない範囲で種々の変更が可能である。例えば、上記各実施形態では、第１搬送室２２ｃの直上に第２搬送室２２ｄが形成された現像装置３ａ〜３ｄについて説明したが、図７に示すように、第１搬送室２２ｃの斜め上方にずれた位置に第２搬送室２２ｄが配置された現像装置３ａにも全く同様に適用することができる。
【００４５】
また、上記各実施形態では、第２スパイラル４４から現像ローラー２０に現像剤を供給する例について示したが、本発明はこれに限らない。第２スパイラル４４と現像ローラー２０との間に磁気ローラー等の現像剤担持体をさらに設け、第２スパイラル４４から磁気ローラー等に現像剤を供給した後に、磁気ローラー等から現像ローラー２０にトナーを供給してもよい。
【００４６】
また、本発明は図１に示したタンデム式のカラープリンター１００に限らず、デジタル或いはアナログ方式のモノクロ複写機、カラー複写機、ファクシミリ等の、第１搬送室と第１搬送室の上方に配置される第２搬送室とを含む現像装置を備えた種々の画像形成装置に適用可能である。
【産業上の利用可能性】
【００４７】
本発明は、第１搬送室と、第１搬送室の上方に配置される第２搬送室と、を有する現像装置に利用可能である。本発明の利用により、第１搬送室から第２搬送室へ現像剤を円滑に汲み上げ可能な現像装置およびそれを備えた画像形成装置を提供することができる。
【符号の説明】
【００４８】
３ａ〜３ｄ      現像装置
２０            現像ローラー（現像剤担持体）
２０ａ          現像スリーブ
２０ｂ          磁石部材
２２            現像容器
２２ｂ          仕切り部
２２ｃ          第１搬送室
２２ｄ          第２搬送室
２２ｅ          第１連通部
２２ｆ          第２連通部
２３            トナー補給口
４２            攪拌搬送部材
４３            第１スパイラル（第１攪拌搬送部材）
４４            第２スパイラル（第２攪拌搬送部材）
４３ａ          第１螺旋羽根（搬送羽根）
４４ａ          第２螺旋羽根（搬送羽根）
４３ｂ、４４ｂ  回転軸
４５            大径部
５０            テーパー部（大径部）
１００          カラープリンター（画像形成装置）
【図１】
2019191241.tif 000003
【図２】
2019191241.tif 000004
【図３】
2019191241.tif 000005
【図４】
2019191241.tif 000006
【図５】
2019191241.tif 000007
【図６】
2019191241.tif 000008
【図７】
2019191241.tif 000009